(57)【特許請求の範囲】
【請求項１】
上方に開口を有する本体容器と横断面Ｌ字型の周壁２枚を備え、前記本体容器の前記前方入口部分を除く内側に前記Ｌ字型の周壁２枚を設置し、前記各周壁の底面で前記本体容器の底面に納められるペットシートを押さえ、前記各周壁は前記本体容器の前方入口に対向する位置において相互に、上端に及ぶ重なり部分を有し、前記重なり部分を設けることで前記各周壁は前記本体容器内で左右方向に移動可能に設置されたペット用トイレ。
【発明の詳細な説明】
【技術分野】
【０００１】この発明はペット用トイレに関するものである。
【背景技術】
【０００２】  従来ペット用トイレは、本体部分と三方囲まれた周壁からなり、その周壁は犬が足を上げて放尿する際の飛び散り防止になり床面の汚れを防ぐことができ便利である。【０００３】  特許文献１に記載のペット用トイレは、本体容器の側面に尿受け壁部を備えており、更に後方尿受け壁部が側面より高く設定されている。後方壁部にペットシート取付け部材を備え、底面にはペットシートを取り付ける升目状の底板を備えたペット用トイレである。【０００４】  特許文献１に記載のペット用トイレは、ペットシートを押さえる上記升目状の底板が設置されており、ペットシートのずれを防止する効果があるが、上記升目状の底板の升目の中に放尿時の汚れが付着した際、掃除することが面倒であった。【０００５】  特許文献１に記載のペット用トイレは、上記尿受け壁部の三方の面が繋がっておりペットシートの交換の際に前方入口のロック解除部品を持ち上げ上記尿受け壁部を後方に傾けてペットシートを交換する必要があり、トイレ本体後方にスペースを必要とし家の壁に密着して設置する事ができなかった。【０００６】  特許文献１に記載のペット用トイレは、上記ペットシート取付け部材と上記升目状底板に余分な、コストがかかっている。【０００７】  本発明は上記課題を解消し得るペット用トイレを提供することに関する。
【先行技術文献】
【特許文献】
【０００８】
【特許文献１】  特開２０１４−１４３９２８
【発明の概要】
【発明が解決しようとする課題】
【０００９】  従来のペット用トイレは、次のような欠点があった。
（イ）  従来のペット用トイレは、三方を囲う周壁１枚で構成されているか、本体と一体になっており、ペットシートを交換する際、前方入口のロック解除部品を上に持ち上げ上記尿受け壁部を後ろに傾ける必要があり、本体後方にスペースを作る必要があった。
（ロ）  従来のペット用トイレは、ペットシートのズレを防止するためペットシートを押さえる升目状の部品または、ペットシート周囲を押さえる部品を備える必要があった。
（ハ）  従来のペット用トイレは、シートを押さえるための部品（例えば升目状の部品）に汚れが付着した際の升目の中やその周辺部分の掃除が面倒であった。
（ニ）  従来のペット用トイレは、ペットシートを押さえる部品のコストがかかった。
【課題を解決するための手段】
【００１０】    本発明は、上方に開口を有する本体容器と横断面Ｌ字型の周壁２枚を備え、前記本体容器の前記前方入口部分を除く内側に前記Ｌ字型の周壁２枚を設置し、前記各周壁の底面で前記本体容器の底面に納められるペットシートを押さえ、前記各周壁は前記本体容器の前方入口に対向する位置において相互に、上端に及ぶ重なり部分を有し、前記重なり部分を設けることで前記各周壁は前記本体容器内で左右方向に移動可能に設置されたペット用トイレを提供するものである。【００１１】  本発明はＬ字型の周壁２枚の底面でシートを直接押さえる事ができ、ペットシートを押さえるための部品（例えば升目状の底板）が不要であるため部品の汚れがなく掃除の手間を抑える事ができる。三方の面がＬ字型の周壁２枚により囲まれているため放尿の際の飛び散りを防止する事ができる。Ｌ字型の周壁２枚と床部分がフラットな面で構成されているため掃除の手間を抑えることができる。【００１２】  また、Ｌ字型の周壁が２枚になっている事により、例えば本体容器内にペットシートを２枚敷いている場合、ペットシート交換の際にＬ字型周壁１枚を持ち上げた状態でペットシート１枚を交換するか、本体容器内の空いているスペースにＬ字型の周壁を移動することにより、簡単にペットシートを交換でき本体容器後方や本体容器外の左右のスペースを必要としない。【００１３】  例えばペットシートを１枚本体容器内に敷いている場合ペットシート交換の際、本体容器の空いているスペースにＬ字型の周壁を移動してペットシートを交換する事により、簡単に交換でき本体容器後方や本体容器外の左右のスペースを必要としない。
また、ペットシートを押さえる部品を作る必要が無いためコスト面が抑えられる。【００１４】  本発明は、前記Ｌ字型の周壁上部角が面取りされておりＬ字型の周壁２枚を設置した際に前方入口の辺と対向する周壁部分に重なりができるペット用トイレを提供するものである。【００１５】  本発明は、周壁上部角が面取りされている事により、ペットシート交換の際の使用者の周壁上部の角による怪我を防止できる。Ｌ字型の周壁２枚を設置した際に前方入口の辺と対向する周壁部分に重なりができ、その重なりによりＬ字型の周壁の転倒防止効果がある。
【発明の効果】
【００１６】  本発明は、Ｌ字型の周壁２枚を備える事によりペットシートを固定する部品が不要でありコスト面を抑えられ、Ｌ字型の周壁２枚により三方囲まれた面と底面が平面で構成されているため、掃除の手間を軽減できる。
また、Ｌ字型の周壁上部角が面取りされている事によりペットシート交換の際の周壁角による使用者の怪我を防止でき、前方入口の辺と対向する周壁部分の重なりにより、Ｌ字型の周壁２枚の転倒防止効果があるペット用トイレを提供するものである。
【図面の簡単な説明】
【００１７】
【図１】  図１は本発明の第１実施形態のペット用トイレを示す斜視図である。
【図２】  図２は本発明の分解図である。
【図３】  図３は本発明の横断面Ｌ字型の周壁部分がシートを押さえる状態を示す図である。
【発明を実施するための形態】
【００１８】以下、本発明のペット用トイレについて、図１〜３を参照しながら説明する。
本体容器１とは図２に示すように上蓋の無い箱形の形状の容器をいう。本体側面縦１ａとは図２に示すように本体底面１ｄの側面を囲う壁の本体入口部分１ｃに接した辺の面である。本体側面横１ｂとは図２に示すように本体底面１ｄの側面を囲う壁の入口に対向する辺の面である。本体側面縦１ａと本体側面横１ｂと本体底面１ｄは本体容器１の一部分を成す（構成する）。本体入口部分１ｃは、ペットの出入口であって好ましくは本体側面縦１ａ又は本体側面横１ｂのペットの出入口部分にあたる全部の面が周囲側壁より低く設定されているか、本体側面縦１ａ又は本体側面横１ｂのペットの出入口部分になる一部が周囲側壁より低く設定されているのがよい。
【００１９】  Ｌ字型の周壁２とは、高さ１０〜８０ｃｍ好ましくは２０〜３０ｃｍの横断面Ｌ字型（上あるいは下から見てＬ字型）の側壁である。周壁縦２ａとは、図１に示すようにＬ字型の周壁２を設置した際に上記本体側面縦１ａに隣接したＬ字型の周壁２の面を示すものである。周壁横２ｂとは、図１に示すようにＬ字型の周壁２を設置した際に上記本体側面横１ｂに隣接したＬ字型の周壁２の面を示すものである。周壁角２ｃとは、Ｌ字型の周壁２の上部の角の部分を示すものであり、その形状は面取り（角が丸く削られている）されている。
周壁底面２Ａとは、Ｌ字型の周壁２の周壁角２ｃのある辺に対向する辺（本体底面１ｄ側）の部分を示すものである。重なり部分８とは図１に示すようにＬ字型の周壁２の周壁横２ｂの２枚の重なった面を示すものである。
【００２０】  図１は、本体入口部分１ｃのある辺にペットシートＰの短い辺が来るように、本体容器１の本体底面１ｄにペットシートＰを横に並べて２枚敷いた図である。Ｌ字型の周壁２の周壁角２ｃを上に向け、周壁底面２ＡでペットシートＰを押さえ、本体側面縦１ａの内側の面と周壁縦２ａの外側（本体側面縦１ａ側）の下部の面、本体側面横１ｂの内側の面と周壁横２ｂの外側（本体側面横１ｂ側）の下部の面が隣接するように設置する。２枚のＬ字型の周壁２の周壁横２ｂの端の面に重なり部分８ができるように設置し、その重なり部分８の横幅は１ｃｍ〜３０ｃｍ程度ある。周壁横２ｂを２枚，足した長さは本体側面横１ｂの辺より長く設定されている。
なお、隣接とは本体容器１内に接するように、あるいは近傍にという意味である。
【００２１】  図３の断面図に示すように周壁底面２ＡによりペットシートＰを押さえて使用する。
【００２２】  図２に示すように、周壁上部角２ｃは面取りになっている。周壁上部角２ｃが面取りになっている事により、ペットシートＰ交換の際の周壁上部角２ｃによる使用者の怪我を防止する事ができる。
【００２３】    図１に示すように周壁横２ｂに重なり部分８がある事によりＬ字型の周壁２の転倒を防止する効果があり、犬の放尿の際の飛散防止になる。
【００２４】    本体容器１とＬ字型の周壁２は、汚物の染み込みを防ぐ為プラスチック素材またはアクリル素材でできている。
【００２５】    図１に示すように、２枚のＬ字型の周壁２により三方を面に囲まれているため放尿の際の尿の飛散を防止でき、図３に示すように周壁底面２Ａでシートを押さえる事によりペットシートＰのズレを防ぐ事ができる。
【００２６】  本体容器１とＬ字型の周壁２は、犬の大きさや家屋の状況により広さを変える事ができる。
＜１＞  本体容器１の大きさがペットシートＰ１枚分の大きさの時は、Ｌ字型の周壁            ２の大きさも、ペットシートＰ１枚分の大きさに合わせるものとする。ペッ            トシートＰは長方形の短い辺を本体側面縦１ａに密着させるように置く。
＜２＞  本体容器１の大きさがペットシートＰ２枚の時は、ペットシートＰの長方形            の長い辺を本体側面縦１ａに密着するように２枚並べる。図１，２はペット            シートＰを２枚使用した時のものである。
【００２７】  本体容器１内にペットシートＰを２枚敷いている場合、ペットシートＰ交換の際にＬ字型の周壁２を１枚持ち上げた状態でペットシートＰ１枚を交換するか、本体容器１内のＬ字型の周壁２の側のスペース（例えば右を交換する際は左）にＬ字型の周壁２の１枚を移動することにより、簡単にペットシートＰを交換でき本体側面横１ｂ後方や本体側面縦１ａの左右にスペースを必要としない。
本体容器１内にペットシートＰを１枚敷いている場合、ペットシートＰ交換の際に、本体容器１内のＬ字型の周壁２の側のスペース（例えば右を交換する際は左）にＬ字型の周壁２の１枚を移動してペットシートＰを片側ずつ交換する事により、簡単にペットシートＰを交換でき本体側面横１ｂ後方や本体側面縦１ａの左右にスペースを必要としない。
【００２８】    本発明のペット用トイレは、上述の実施形態のペット用トイレに何ら制限されるものでなく、適宜変更可能である。また、本発明の趣旨を損なわない範囲で適宜組み合わせて実施できる。
【符号の説明】
【００２９】１０  ペット用トイレ
１    本体容器
１ａ  本体側面縦
１ｂ  本体側面横
１ｃ  本体入口部分
１ｄ  本体底面
２    Ｌ字型の周壁
２ａ  周壁縦
２ｂ  周壁横
２ｃ  周壁角
２Ａ  周壁底面
Ｐ    ペットシート
８    重なり部分
【要約】
【課題】衛生的でペット用シートの交換が簡単かつコストを抑えられるペット用トイレを提供すること。
【解決手段】本体容器１にＬ字型の周壁２を２枚設置することにより、Ｌ字型の周壁２を１枚ずつ可動することが可能な為シートの交換が容易である。全面が平面であるため、清掃が簡単である。
【選択図】図２【図１】
0005844927.tif 000002
【図２】
0005844927.tif 000003
【図３】
0005844927.tif 000004